(57)【要約】【課題】一つの製品で様々な位置や形状の隙間を埋めることができるようにする。【解決手段】上記課題は、トップシート２２２上の幅方向中間位置に、前後方向に延びる縦長状をなし、外面の少なくとも一部から吸収可能な複数の補助吸収要素３０が、前後方向に列をなして設けられており、前記補助吸収要素３０はその幅方向中間位置で前記トップシート２２２表面に接合されるとともに、その接合位置を軸に個々独立に揺動可能とされた、パッドタイプ使い捨ておむつ２００により解決される。【選択図】図１
2015173726.tif 000002
【特許請求の範囲】
【請求項１】
液透過性のトップシートと、液不透過性シートと、これらの間に介在された吸収体と、を備えた吸収性物品において、
前記トップシート上の幅方向中間位置に、前後方向に延びる縦長状をなし、外面の少なくとも一部から吸収可能な複数の補助吸収要素が、前後方向に列をなして設けられており、
前記補助吸収要素はその幅方向中間位置で前記トップシート表面に接合されるとともに、その接合位置を軸に個々独立に揺動可能とされた、
ことを特徴とする吸収性物品。
【請求項２】
前記補助吸収要素は前後方向に沿う筒状体である、請求項１記載の吸収性物品。
【請求項３】
前記補助吸収要素は、内周面及び外周面の両面から吸収可能なものである、請求項２記載の吸収性物品。
【請求項４】
前記補助吸収要素の列は、前後方向の途中から後側に向かうにつれて径が小さくなる、請求項１〜３のいずれか１項に記載の吸収性物品。
【請求項５】
前記吸収体における前記補助吸収要素より前側の領域は、全部又は前側の一部の厚みが、後側の領域よりも薄い、請求項１〜４のいずれか１項に記載の吸収性物品。
【発明の詳細な説明】
【技術分野】
【０００１】
本発明は、吸収性物品に関するものである。
【背景技術】
【０００２】
吸収性物品しては、パッドタイプ、テープタイプ、パンツタイプ等の形態の使い捨ておむつの他、生理用ナプキンが知られている。また、パッドタイプ使い捨ておむつの一形態として、表裏両面から吸収可能な補助吸収性物品も提供されている。
【０００３】
一般的な吸収性物品は、股間部の前側から後側にかけて連続する吸収体と、吸収体の表側を覆う液透過性のトップシートと、吸収体の裏側を覆う裏側シートとを備えており、各部材は左右対称形状に形成されている（特許文献１参照）。
【０００４】
吸収性物品の装着者は常に左右対称の身体形状を維持していないため、吸収体のフィット性を高めるために、吸収体の幅方向両側に縦方向のスリットを形成することも行われている（特許文献２参照）。
【０００５】
しかしながら、装着者の片足が反対の脚の前側に位置する等の左右非対称の体勢では、吸収性物品の表面と身体表面との間に形成される隙間が左右いずれかに偏る等、左右方向の位置が前後方向位置により変化するため、左右対称を基本とする一般的な吸収性物品の表面形状ではこの隙間を埋めることができず、漏れの原因となることがあった。特に、拘縮が発生している装着者等の場合、このような問題点が顕在化しており、一つの製品で装着者の個人差に対応することができないため、従来は、テープタイプ使い捨ておむつ等の基本吸収性物品の内側の隙間が生じやすい箇所に補助吸収性物品を配置して対応することが一般的であった。
【先行技術文献】
【特許文献】
【０００６】
【特許文献１】特開２０１２−２４５２３６号公報
【特許文献２】特開２００４−２３００６４号公報
【発明の概要】
【発明が解決しようとする課題】
【０００７】
そこで、本発明の主たる課題は、一つの製品で様々な位置や形状の隙間を埋めることができる吸収性物品を提供することにある。
【課題を解決するための手段】
【０００８】
上記課題を解決した本発明は次記のとおりである。
＜請求項１記載の発明＞
液透過性のトップシートと、液不透過性シートと、これらの間に介在された吸収体と、を備えた吸収性物品において、
前記トップシート上の幅方向中間位置に、前後方向に延びる縦長状をなし、外面の少なくとも一部から吸収可能な複数の補助吸収要素が、前後方向に列をなして設けられており、
前記補助吸収要素はその幅方向中間位置で前記トップシート表面に接合されるとともに、その接合位置を軸に個々独立に揺動可能とされた、
ことを特徴とする吸収性物品。
【０００９】
（作用効果）
本発明では、トップシート上に、個々独立に左右揺動可能な複数の補助吸収要素が列をなして設けられているため、吸収性物品の表面と身体表面との隙間に形成される隙間が左右いずれかに偏っていても、またその偏りが前後方向位置によって変化していても、個々の補助吸収要素を前後方向に対応する隙間の左右方向位置に合わせて動かすことにより、補助吸収要素で隙間を埋めることができ、それによって漏れ防止効果を向上させることができる。
【００１０】
＜請求項２記載の発明＞
前記補助吸収要素は前後方向に沿う筒状体である、請求項１記載の吸収性物品。
【００１１】
（作用効果）
補助吸収要素は例えば中実の柱状体であっても良いが、筒状体とされていると、変形の自由度が高くなるため、変化に富む隙間形状に対してより効果的にフィットさせることができる。
【００１２】
＜請求項３記載の発明＞
前記補助吸収要素は、内周面及び外周面の両面から吸収可能なものである、請求項２記載の吸収性物品。
【００１３】
（作用効果）
補助吸収要素を筒状体とする場合、このように内周面及び外周面の両面から吸収可能とすることで、外部はもちろん内部を通過しようとする液体も吸収可能となるため好ましい。
【００１４】
＜請求項４記載の発明＞
前記補助吸収要素の列は、前後方向の途中から後側に向かうにつれて径が小さくなる、請求項２又は３記載の吸収性物品。
【００１５】
（作用効果）
補助吸収要素の列をこのような形状とすると、股間部から臀裂にかけてのフィット性が向上するため好ましい。
【００１６】
＜請求項５記載の発明＞
前記吸収体における前記補助吸収要素より前側の領域は、全部又は前側の一部の厚みが、後側の領域よりも薄い、請求項１〜４のいずれか１項に記載の吸収性物品。
【００１７】
（作用効果）
このような吸収体の前側の一部領域が薄い構造とすることにより、拘縮等により股間が狭い装着者に対しても装着し易いものとなる。
【発明の効果】
【００１８】
以上のとおり、本発明によれば、一つの製品で様々な位置や形状の隙間を埋めることができ、漏れ防止性に優れるようになる、等の利点がもたらされる。
【図面の簡単な説明】
【００１９】
【図１】パッドタイプ使い捨ておむつの展開状態の表面側を示す平面図である。
【図２】展開状態のパンツタイプ使い捨ておむつの要部のみを示す平面図である。
【図３】図１のＹ−Ｙ断面図である。
【図４】図１のＺ−Ｚ断面図である。
【図５】図１のＸ−Ｘ断面図である。
【図６】（ａ）補助吸収要素の斜視図、（ｂ）補助吸収要素の断面図、（ｃ）補助吸収要素の斜視図、（ｄ）補助吸収要素の断面図、（ｅ）展開状態の斜視図、（ｆ）展開状態の断面図である。
【図７】図１のＺ−Ｚ断面相当の断面図である。
【図８】（ａ）補助吸収要素の斜視図、（ｂ）補助吸収要素の断面図である。
【図９】パッドタイプ使い捨ておむつの展開状態の表面側を示す平面図である。
【図１０】パッドタイプ使い捨ておむつの変形形状を説明するための説明図である。
【発明を実施するための形態】
【００２０】
以下、本発明の一実施形態について、パッドタイプ使い捨ておむつの例を引いて説明するが、これに限定されるものではない。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、括れ部分の最小幅部位を含む前後方向範囲を意味する。また、「前側部分（腹側部分）」は股間部よりも前側の部分を意味し、「後側部分（背側部分）」は股間部よりも後側の部分を意味する。
【００２１】
図１〜図５は、本発明の使い捨ておむつの表面に敷いて使用されるパッドタイプ使い捨ておむつ２００の一例を示している。図中の部材相互の接合手段及び接合部分は点模様で示されており、ホットメルト接着剤、ヒートシール、超音波シールにより形成できる。このパッドタイプ使い捨ておむつ２００は、股間部Ｃ２と、その前後両側に延在する前側部分Ｆ２及び後側部分Ｂ２とを有するものである。
【００２２】
パッドタイプ使い捨ておむつ２００の平面形状は、吸収体の形状に合わせて、股間部Ｃ２を含む前後方向中間の所定部分がその前後両側よりも幅の狭い括れ部分２００ｎとなる括れ形状（略砂時計形状）とされているが、矩形状等、他の適宜の形状とすることもできる。各部の寸法は適宜定めることができ、例えば、物品全長（前後方向長さ）Ｌは３５０〜７００ｍｍ程度、全幅Ｗ１は１３０〜４００ｍｍ程度とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。また、括れ部分２００ｎを有する場合、その最小幅Ｗ６は、全幅Ｗ１の５０〜９０％程度であるのが好ましい。
【００２３】
パッドタイプ使い捨ておむつ２００は、液不透過性シート２２１の内面と、液透過性のトップシート２２２との間に、吸収体２２３が介在された基本構造を有している。
【００２４】
吸収体２２３の裏側には、液不透過性シート２２１が吸収体２２３の周縁より若干食み出すように設けられている。液不透過性シート２２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。なお、液不透過性シート２２１の外面は、不織布等の外装シートにより覆うこともできる。外装シートを有しない場合には液不透過性シート２２１、外装シートを有する場合には液不透過性シート２２１及び外装シートが裏側層を構成する。
【００２５】
吸収体２２３の表側は、トップシート２２２により覆われている。図示形態ではトップシート２２２の側縁から吸収体２２３の前後端部が一部食み出しているが、吸収体２２３の前後端部の側縁が食み出さないようにトップシート２２２の幅を広げることもできる。トップシート２２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２６】
トップシート２２２と吸収体２２３との間には、中間シート２２５を介在させるのが望ましい。この中間シート２２５は、吸収体２２３により吸収した尿の逆戻りを防止するために設けられるものであり、保水性が低く、且つ液透過性の高い素材、例えば各種の不織布やメッシュフィルム等を用いるのが望ましい。トップシート２２２の前端を０％としトップシート２２２の後端を１００％としたとき、中間シート２２５の前端は０〜１１％の範囲に位置しているのが好ましく、中間シート２２５の後端は９２〜１００％の範囲に位置しているのが好ましい。また、中間シート２２５の幅Ｗ４は後述する吸収体２２３の幅Ｗ２の５０〜９０％程度であるのが好ましい。中間シート２２５を設けない場合には、トップシート２２２及び後述のギャザーシート２２４ｓ、中間シート２２５を設ける場合にはトップシート２２２、中間シート２２５及び後述のギャザーシート２２４ｓが表側層を構成する。
【００２７】
パッドタイプ使い捨ておむつ２００の前後方向両端部では、液不透過性シート２２１およびトップシート２２２が吸収体２２３の前後端よりも前後両側にそれぞれ延在されて貼り合わされ、吸収体２２３の存在しないエンドフラップ部ＥＦが形成されている。パッドタイプ使い捨ておむつ２００の両側部では、液不透過性シート２２１が吸収体２２３の側縁よりも外側にそれぞれ延在され、この延在部からトップシート２２２の側部までの部分の内面には、インナー立体ギャザー２２４を構成するギャザーシート２２４ｓの幅方向外側の部分２２４ｘが前後方向全体にわたり貼り付けられ、吸収体２２３の存在しないサイドフラップ部ＳＦを構成している。
【００２８】
ギャザーシート２２４ｓの素材としては、プラスチックシートやメルトブローン不織布を使用することもできるが、肌への感触性の点で、不織布にシリコンなどにより撥水処理をしたものが好適に使用される。
【００２９】
ギャザーシート２２４ｓの幅方向中央側の部分２２４ｃはトップシート２２２上にまで延在しており、その幅方向中央側の端部には、細長状弾性部材２２４Ｇが前後方向に沿って伸張状態でホットメルト接着剤等により固定されている。この細長状弾性部材２２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３０】
また、ギャザーシート２２４ｓは、幅方向外側の部分２２４ｘが前後方向全体にわたり液不透過性シート２２１に貼り合わされて固定されるとともに、幅方向中央側の部分２２４ｃは、前後方向の両端部では倒伏状態で物品内面（図示形態ではトップシート２２２表面）に貼り合わされて固定され、かつ前後方向の両端部間では物品内面（図示形態ではトップシート２２２表面）に固定されていない。この非固定部分は、図４に二点鎖線で示されるように、物品内面（図示形態ではトップシート２２２表面）に対して起立可能なバリヤ部となる部分であり、その起立基端２２４ｂはギャザーシート２２４ｓにおける幅方向外側の固定部分２２４ｘと内側の部分２２４ｃとの境に位置する。
【００３１】
吸収体２２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２２３はクレープ紙等の包装シート２２６（断面図中には図示せず）により包むことができる。
【００３２】
吸収体２２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３３】
吸収体２２３の全体の平面形状は、股間部Ｃ２を含む前後方向中間の所定部分がその前後両側よりも幅の狭い括れ部分２２３ｎとなる括れ形状（略砂時計形状）とされている。この括れ部分２２３ｎの最小幅Ｗ５は、括れ部分２２３ｎの前後に位置する非括れ部分の幅Ｗ２の５０〜７５％程度であるのが好ましい。また、物品前端を０％とし物品後端を１００％としたとき、括れ部分２２３ｎの前端は１０〜２５％の範囲に位置しているのが好ましく、括れ部分２２３ｎの後端は４０〜６５％の範囲に位置しているのが好ましく、括れ部分２２３ｎの最小幅Ｗ５となる部位（最小幅部位）は２５〜３０％の範囲に位置しているのが好ましい。もちろん、吸収体２２３を矩形状等の他の適宜の形状とすることもできる。
【００３４】
特徴的には、図１及び図４に示されるように、トップシート２２２上の幅方向中間位置に、前後方向に延びる縦長状をなし、外面の少なくとも一部から吸収可能な複数の補助吸収要素３０が、前後方向に列をなして設けられており、これら補助吸収要素３０はその幅方向中間位置でトップシート２２２表面に接合されるとともに、その接合位置を軸に個々独立に揺動可能とされている。したがって、パッドタイプ使い捨ておむつ２００の表面と身体表面との隙間に形成される隙間が左右いずれかに偏っていても、またその偏りが前後方向位置によって変化していても、図４及び図７に二点鎖線で及び図９に実線でそれぞれ示すように、個々の補助吸収要素３０を前後方向に対応する隙間の左右方向位置に合わせて動かすことにより、補助吸収要素３０で隙間を埋めることができ、それによって漏れ防止効果を向上させることができる。なお、図９中の符号１００は装着者の太腿を概略的に表したものである。
【００３５】
補助吸収要素３０の形状は特に限定されず、図７及び図８に示すような直方体状とする他、前後方向に延びる柱状体状としても良いが、中実とするよりも、図４及び図６に示すように前後方向に沿う筒状体とするのが好ましい。このような筒状体は変形の自由度が高く、例えば断面三角筒状に変形したり、台形筒状に変形したり、潰れて平坦な形状に変形したりすることもでき、変化に富む隙間形状に対してより効果的にフィットさせることができる。図９に示すように、最も後側の補助吸収要素３０を錐状に形成する等により、補助吸収要素３０の列を前後方向の途中から後側に向かうにつれて径が小さくなるように構成し、股間部Ｃ２から臀裂にかけてのフィット性を向上させるのも好ましい形態である。
【００３６】
補助吸収要素３０の構造は特に限定されないが、例えば図示形態のように吸収体２２３と同様の吸収性素材３１をシート材３２，３３で被覆してなるものを好適に用いることができる。製造容易性を考慮すると、吸収性素材３１を二枚のシート材３２，３３で挟んで被覆する形態が好ましく、図７及び図８に示すような中実の補助吸収要素３０の場合には、シート材３２，３３の少なくとも一方又は両方をトップシート２２２と同様の液透過性素材とすることにより外部からの吸収が可能となる。また、図４及び図６に示すような筒状補助吸収要素３０の場合には、吸収性素材３１を二枚のシート材３２，３３で挟んだ後に筒状に巻いて端部同士を重ねて接合することが好ましく、この場合に外周面のシート材３２をトップシート２２２と同様の液透過性素材とし、内周面のシート材３３は液透過性シートと同様の素材としても良いが、内周面のシート材３３についてもトップシート２２２と同様の液透過性素材とすることにより、内周面及び外周面の両面から吸収可能となり、外部はもちろん内部を通過しようとする液体も吸収可能となる。なお、補助吸収要素３０からトップシート２２２側への液の移行を促進するために、補助吸収要素３０の外面素材（図示形態ではシート材３２，３３）の親水度をトップシート２２２側に向かうにつれて段階的に又は連続的に高くするのも好ましい形態である。
【００３７】
補助吸収要素３０は、その幅方向中間位置でトップシート２２２表面に接合されるとともに、その接合位置を軸に個々独立に揺動可能である限り、その取り付け構造は特に限定されず、例えば、図４（ｂ）に示すように、補助吸収要素３０の外面をトップシート２２２表面にホットメルト接着剤３４等の接合手段により直接に接合しても良いが、図４（ａ）及び図７に示すように、トップシート２２２表面に対して倒伏可能なシート状部分３５を介して連結される等により、若干浮いた位置を軸に揺動可能とされていると、補助吸収要素３０の揺動範囲が広いものとなるため好ましい。特に、図４（ａ）及び図７に示すように、補助吸収要素３０における吸収性素材３１の周囲にシート材３２，３３が延びて形成された、吸収性素材３１を有しないフラップ部３６を有する場合、このフラップ部３６を倒伏可能なシート状部分３５としてトップシート２２２表面に接合することも可能である。補助吸収要素３０の取付位置は幅方向中間である限り、図示形態のように幅方向中央とする他、一部又は全部の補助吸収要素３０が左側又は右側に偏っていても良い。
【００３８】
補助吸収要素３０の数は限定されないが、２〜４個程度が好ましい。また、補助吸収要素３０間の間隔を図示例のように空けるとフィット性の面では好ましいが、補助吸収要素３０の端部同士を接触させることもできる。補助吸収要素３０間の間隔を空ける場合、その間隔３０ｄは通常の場合５〜２０ｍｍ程度とすることができる。
【００３９】
補助吸収要素３０の列は、股間部Ｃ２内のみとする他、股間部Ｃ２よりも前側のみ、股間部Ｃ２よりも後側のみ、股間部Ｃ２よりも前側の位置から股間部Ｃ２内まで、股間部Ｃ２内から股間部Ｃ２よりも後側の位置まで、又は股間部Ｃ２よりも前側の位置から股間部Ｃ２よりも後側の位置までとすることができる。補助吸収要素３０の列の全長としては、大人用の場合６０〜１５０ｃｍ程度とすることができる。また、個々の補助吸収要素３０の前後方向長さは、大人用の場合３０〜８０ｃｍ程度とすることができる。一方、補助吸収要素３０の幅３０ｗ（筒状の場合の外径）は、吸収体２２３全幅Ｗ２の１０〜５０％程度とすることができ、大人用の場合３０〜６０ｍｍ程度とすることが好ましい。
【００４０】
他方、吸収体２２３の前側の領域の剛性が高いと、拘縮等により股間が狭い装着者に対しても装着し難くなるため、図５に示すように、前側吸収部３２における中間吸収部３１より前側の領域２３ｆは、全部又は前側の一部の厚みを後側の領域よりも薄くし、剛性を低下させることが望ましい。
【産業上の利用可能性】
【００４１】
本発明は、上記例のようなパッドタイプ使い捨ておむつの他、テープタイプ使い捨ておむつ、パンツタイプ使い捨ておむつ等の使い捨ておむつ、生理用ナプキン等、吸収性物品全般に適用できるものである。
【符号の説明】
【００４２】
Ｂ２…後側部分、Ｃ２…股間部、Ｆ２…前側部分、３０…補助吸収要素、３１…吸収性素材、３２，３３…シート材、３４…ホットメルト接着剤、３５…シート状部分、３６…フラップ部、２００…パッドタイプ使い捨ておむつ、２２１…液不透過性シート、２２２…トップシート、２２３…吸収体、２２３ｎ…括れ部分、２２４…立体ギャザー、２２４ｓ…ギャザーシート、２２５…中間シート、２２６…包装シート。
【図１】
2015173726.tif 000003
【図２】
2015173726.tif 000004
【図３】
2015173726.tif 000005
【図４】
2015173726.tif 000006
【図５】
2015173726.tif 000007
【図６】
2015173726.tif 000008
【図７】
2015173726.tif 000009
【図８】
2015173726.tif 000010
【図９】
2015173726.tif 000011
【図１０】
2015173726.tif 000012